(57)【特許請求の範囲】
【請求項１】
電力系統の系統電気量に監視用信号を重畳してなる重畳データを伝送路に出力する複数のディジタル形保護制御装置をデータ送信装置として活用し、前記伝送路から送信されてきた前記重畳データを取込み系統電気量に対応したデータを抽出するデータ受信装置からなる系統解析システムにおいて、
前記データ送信装置側に、前記監視用信号と同一の位相関係にある基準信号を生成する基準信号生成手段を備え、
前記データ受信装置側に、前記データ送信装置側から送信されてきた前記基準信号を入力して零クロスの立ち上がり点を検出し、その立ち上がり点を当該基準信号の起点とし、当該立ち上がり点以降の１サイクル分のサンプリングデータにサンプリング時点の番号を付与する基準信号位相検出手段と、
この基準信号位相検出手段で付与された各サンプリング時点の番号と、各サンプリング時点の番号に合致する前記監視用信号のゲイン値とを入力することにより、除去したい監視用信号を出力する除去データ選択手段と、
前記データ送信装置側より送信されてきた重畳データから前記除去データ選択手段より出力された監視用信号を減算し、前記系統電気量に対応した解析に用いられる系統データを出力する減算手段とを備えることを特徴とする系統解析システム。
【請求項２】
電力系統の系統電気量に監視用信号を重畳してなる重畳データを伝送路に出力する複数のディジタル形保護制御装置をデータ送信装置として活用し、前記伝送路から送信されてきた前記重畳データを取込み系統電気量に対応したデータを抽出するデータ受信装置からなる系統解析システムにおいて、
前記データ送信装置側に、前記監視用信号と同一の位相関係にある基準信号を生成する基準信号生成手段と、
この基準信号を入力して零クロスの立ち上がり点を検出し、その立ち上がり点を当該基準信号の起点とし、当該立ち上がり点以降の１サイクル分のサンプリングデータにサンプリング時点の番号を付与することにより基準信号の位相を検出する基準信号位相検出手段とを備え、
前記データ受信装置側に、前記データ送信装置側から送信されてきた基準信号位相検出手段で付与された各サンプリング時点の番号と、各サンプリング時点の番号に合致する前記監視用信号のゲイン値とを入力することにより、除去したい監視用信号を出力する除去データ選択手段と、
前記データ送信装置側より送信されてきた重畳データから前記除去データ選択手段より出力された監視用信号を減算し、前記系統電気量に対応した解析に用いられる系統データを出力する減算手段とを備えることを特徴とする系統解析システム。
【請求項３】
電力系統の系統電気量に監視用信号を重畳してなる重畳データを伝送路に出力する複数のディジタル形保護制御装置をデータ送信装置として活用し、前記伝送路から送信されてきた前記重畳データを取込み系統電気量に対応したデータを抽出するデータ受信装置からなる系統解析システムにおいて、
前記データ送信装置側に、前記監視用信号と同一の位相関係にある基準信号を生成する基準信号生成手段と、
前記重畳データの内の監視用信号のみを所定期間記憶する記憶手段とを備え、
前記データ受信装置側に、前記データ送信装置側から送信されてきた基準信号を入力して零クロスの立ち上がり点を検出し、その立ち上がり点を当該基準信号の起点とし、当該立ち上がり点以降の１サイクル分のサンプリングデータにサンプリング時点の番号を付与することにより基準信号の位相を検出する基準信号位相検出手段と、
この基準信号位相検出手段で付与された各サンプリング時点の番号と、前記データ送信装置側から送信されてきた記憶手段の内容に基づく監視用信号除去データを入力することにより、除去したい監視用信号を出力する除去データ選択手段と、
前記データ送信装置側より送信されてきた重畳データから前記除去データ選択手段より出力された監視用信号を減算し、前記系統電気量に対応した解析に用いられる系統データを出力する減算手段とを備えることを特徴とする系統解析システム。
【請求項４】
電力系統の系統電気量に監視用信号を重畳してなる重畳データを伝送路に出力する複数のディジタル形保護制御装置をデータ送信装置として活用し、前記伝送路から送信されてきた前記重畳データを取込み系統電気量を抽出するデータ受信装置からなる系統解析システムにおいて、
前記データ送信装置側に、前記監視用信号と同一の位相関係にある基準信号を生成する基準信号生成手段と、
この基準信号を入力して零クロスの立ち上がり点を検出し、その立ち上がり点を当該基準信号の起点とし、当該立ち上がり点以降の１サイクル分のサンプリングデータにサンプリング時点の番号を付与することにより基準信号の位相を検出する基準信号位相検出手段と、
前記重畳データの内の監視用信号のみを所定期間記憶する記憶手段とを備え、
前記データ受信装置側に、前記基準信号位相検出手段で付与された各サンプリング時点の番号と、前記データ送信装置側から送信されてきた記憶手段の内容に基づく監視用信号除去データを入力することにより、除去したい監視用信号を出力する除去データ選択手段と、
前記データ送信装置側より送信されてきた重畳データから前記除去データ選択手段より出力された監視用信号を減算し、前記系統電気量に対応した解析に用いられる系統データを出力する減算手段とを備えることを特徴とする系統解析システム。
【発明の詳細な説明】
【０００１】
【発明の属する技術分野】
本発明は複数のディジタル形保護制御装置をデータ送信装置として活用し、対向するデータ受信装置側で重畳データを取込み、計測及び記録データ用として、系統電気量に対応した系統データを抽出するようにした系統解析システムに関する。
【０００２】
【従来の技術】
図９はディジタル形保護制御装置を利用した系統解析システムの一例をハードウェア構成で示す図である。
図９において、ＳＳは変電所を示し、複数のディジタル形保護制御装置１-1〜１-nを設置している。以下は代表してディジタル形保護制御装置１-1で説明する。このディジタル形保護制御装置１-1は本来の保護継電器の機能の他に後述するように、データ解析のためのデータ送信機能も併せ持っている。
【０００３】
電力系統に設置したＰＴ２およびＣＴ３から抽出した系統電圧ｖおよび系統電流ｉは入力変換器４に入力されてデジタルプロセッサ等の電子部品で扱う大きさの系統電気量ilに変換された後、アナログフィルタ５に入力されて基本波以外の不要成分をカットされ、その後サンプルホルダ６に入力されて、所定のサンプリング周波数（例えば基本波周波数の１２倍程度の周波数）でサンプリングされ、ホールドされる。
【０００４】
そしてこのサンプル・ホールドされた電気量はマルチプレクサ（ＭＰＸ）７で時系列状に並べられた後、アナログ／ディジタル変換器８でディジタルデータに変換され、メモリ９に一時記憶される。なお、アナログフィルタ５からアナログ／ディジタル変換器８までの部分を便宜上アナログ入力回路ＡＩと呼ぶ。
【０００５】
１０は、ディジタル演算プロセッサ（ＣＰＵ）であり、所定の保護演算プログラムに基づいて前記メモリ９に記憶されているデータを用いて保護演算し、更にシーケンス処理をして保護継電装置としての出力信号を生じるように構成されている。１１は通信ユニットであり、前記保護継電装置の出力及びその他のデータを、伝送路１２を介して他の制御所等へ送信するように機能する。
【０００６】
一方、変電所ＳＳから送信されたデータil'は、データ受信装置１３において、通信ユニット１４により受信され、系統現象解析のために一旦メモリ１５に記憶する。ディジタル演算プロセッサ１６は所定の系統解析プログラムに基づいて受信データil'を用いて系統現象解析を行い、その結果をディスプレイ１７上に表示するように構成されている。
【０００７】
ところで、保護継電器はその責務から高い信頼度が要求されている。上記のように構成されたディジタル保護制御装置では保護機能の大半をソフトウェアで実現しているため信頼性は高いが、アナログフィルタ５やアナログ／ディジタル変換器８を有するアナログ入力回路ＡＩには、演算増幅器、抵抗器、コンデンサなどの素子を使用し、しかもこれらの素子に経年劣化が生じたならば、アナログ入力回路ＡＩとしての誤差が増大し、保護継電器の性能が低下する惧れがある。
【０００８】
このため、従来のディジタル保護制御装置は、自動監視手段を付加してアナログ入力回路の精度チェックを行っている。１８はそのための監視信号用電源であり、また１９は監視用出力ユニットである。
【０００９】
このアナログ入力回路ＡＩの自動監視方式としては、電気協同研究「ディジタルリレー」第４１巻第４号（１９８６）に開示されている高調波重畳監視方式がある。この監視方式は図９で示すように、系統電気量ilの周波数よりも高次の第３次高調波や第４次高調波などを監視用信号itとして前記系統電気量ilと共にアナログフィルタ５に入力してこれらを重畳し、この重畳した電気量をサンプリングホールド回路６、マルチプレクサ７、アナログ／ディジタル変換器８を通してメモリ９に入力し、前記ディジタル演算プロセッサ１０で自動監視処理を行うようにしたものである。
【００１０】
図１０は系統電気量il及び監視用信号itの重畳から、自動監視処理及び保護演算処理までのソフトウェア処理を表した図である。この自動監視処理方式は、アナログ／ディジタル変換後のデータからディジタルフィルタ（ディジタル演算プロセッサ１０が備えている機能の一つ）１０ａで前記監視用信号itを抽出して振幅値演算１０ｂを行い、予め設定しておいた監視用信号の理論値と比較手段１０ｃで比較し、アナログ入力手段の精度をチェックする方式である。
【００１１】
この監視方式では、監視用信号itが保護演算処理に影響を与えることのないように監視用の高調波信号成分をディジタルフィルタ１０ｄによりアナログデータから除去し系統電気量を保護演算１０ｅに用いるように構成している。
【００１２】
そして、前記ディジタルフィルタ１０ｄから出力された系統電気量ilに対応する系統データil'が通信ユニット１１及び伝送路１２を介して制御所ＣＳの系統解析装置１３に向けて送信される。なお、ディジタル保護制御装置１-1内のディジタルフィルタ１０ａから保護演算１０ｅまでの部分１０Ｍを、便宜上保護継電器主要部と呼ぶことにする。
【００１３】
【発明が解決しようとする課題】
上述したように従来の装置では、監視用信号が保護継電器に影響を与えることのないようにするため、前記ディジタルフィルタ１０ｄの特性を、監視用の高調波信号成分を除去できるようにする必要があるが、データ受信装置１３に設けられた計測装置などによる解析では、系統電気量の基本周波数以外の周波数成分を積極的に使用する場合があり、このような場合には従来の装置を適用できないことがある。
【００１４】
例えば、オシロ波形観測装置により系統電気量の変化状態を観測し、高調波成分の含有率を確認しようとしても、送信側のディジタルフィルタ１０ｄによりある特定周波数成分が除去されてしまえば、正確な高調波成分の解析が不可能となる。
【００１５】
本発明は上記の課題を解決するためになされたものであり、遠方における系統電気量解析時に正確な系統電気量を提供する系統解析システムを提供することを目的としている。
【００１６】
【課題を解決するための手段】
上記の目的を達成するため、請求項１に係る発明は、電力系統の系統電気量に監視用信号を重畳してなる重畳データを伝送路に出力する複数のディジタル形保護制御装置をデータ送信装置として活用し、前記伝送路から送信されてきた前記重畳データを取込み系統電気量に対応したデータを抽出するデータ受信装置からなる系統解析システムにおいて、前記データ送信装置側に、前記監視用信号と同一の位相関係にある基準信号を生成する基準信号生成手段を備え、前記データ受信装置側に、前記データ送信装置側から送信されてきた前記基準信号を入力して零クロスの立ち上がり点を検出し、その立ち上がり点を当該基準信号の起点とし、当該立ち上がり点以降の１サイクル分のサンプリングデータにサンプリング時点の番号を付与する基準信号位相検出手段と、この基準信号位相検出手段で付与された各サンプリング時点の番号と、各サンプリング時点の番号に合致する前記監視用信号のゲイン値とを入力することにより、除去したい監視用信号を出力する除去データ選択手段と、前記データ送信装置側より送信されてきた重畳データから前記除去データ選択手段より出力された監視用信号を減算し、前記系統電気量に対応した解析に用いられる系統データを出力する減算手段とを備えることを特徴とする。
【００１７】
これにより、データ送信装置側で、監視用信号と同期した基準信号を送信することで、データ受信装置側で、重畳されている監視用信号を判別し、減算することにより純粋な系統電気量を得ることが可能になる。
【００１８】
また、請求項２に係る発明は、電力系統の系統電気量に監視用信号を重畳してなる重畳データを伝送路に出力する複数のディジタル形保護制御装置をデータ送信装置として活用し、前記伝送路から送信されてきた前記重畳データを取込み系統電気量に対応したデータを抽出するデータ受信装置からなる系統解析システムにおいて、前記データ送信装置側に、前記監視用信号と同一の位相関係にある基準信号を生成する基準信号生成手段と、この基準信号を入力して零クロスの立ち上がり点を検出し、その立ち上がり点を当該基準信号の起点とし、当該立ち上がり点以降の１サイクル分のサンプリングデータにサンプリング時点の番号を付与することにより基準信号の位相を検出する基準信号位相検出手段とを備え、前記データ受信装置側に、前記データ送信装置側から送信されてきた基準信号位相検出手段で付与された各サンプリング時点の番号と、各サンプリング時点の番号に合致する前記監視用信号のゲイン値とを入力することにより、除去したい監視用信号を出力する除去データ選択手段と、
前記データ送信装置側より送信されてきた重畳データから前記除去データ選択手段より出力された監視用信号を減算し、前記系統電気量に対応した解析に用いられる系統データを出力する減算手段とを備えることを特徴とする。
この構成によれば、データ受信装置側の機能をデータ送信装置側にて処理することで、データ受信装置側の処理負担を軽減し、大量のデータ処理に極めて有効である。
【００１９】
また、請求項３に係る発明は、電力系統の系統電気量に監視用信号を重畳してなる重畳データを伝送路に出力する複数のディジタル形保護制御装置をデータ送信装置として活用し、前記伝送路から送信されてきた前記重畳データを取込み系統電気量に対応したデータを抽出するデータ受信装置からなる系統解析システムにおいて、前記データ送信装置側に、前記監視用信号と同一の位相関係にある基準信号を生成する基準信号生成手段と、前記重畳データの内の監視用信号のみを所定期間記憶する記憶手段とを備え、前記データ受信装置側に、前記データ送信装置側から送信されてきた基準信号を入力して零クロスの立ち上がり点を検出し、その立ち上がり点を当該基準信号の起点とし、当該立ち上がり点以降の１サイクル分のサンプリングデータにサンプリング時点の番号を付与することにより基準信号の位相を検出する基準信号位相検出手段と、この基準信号位相検出手段で付与された各サンプリング時点の番号と、前記データ送信装置側から送信されてきた記憶手段の内容に基づく監視用信号除去データを入力することにより、除去したい監視用信号を出力する除去データ選択手段と、前記データ送信装置側より送信されてきた重畳データから前記除去データ選択手段より出力された監視用信号を減算し、前記系統電気量に対応した解析に用いられる系統データを出力する減算手段とを備えることを特徴とする。
これによれば、データ受信装置側で、監視用信号除去データを入力することを省略することが可能になる。
【００２０】
また、請求項４に係る発明は、電力系統の系統電気量に監視用信号を重畳してなる重畳データを伝送路に出力する複数のディジタル形保護制御装置をデータ送信装置として活用し、前記伝送路から送信されてきた前記重畳データを取込み系統電気量を抽出するデータ受信装置からなる系統解析システムにおいて、前記データ送信装置側に、前記監視用信号と同一の位相関係にある基準信号を生成する基準信号生成手段と、この基準信号を入力して零クロスの立ち上がり点を検出し、その立ち上がり点を当該基準信号の起点とし、当該立ち上がり点以降の１サイクル分のサンプリングデータにサンプリング時点の番号を付与することにより基準信号の位相を検出する基準信号位相検出手段と、前記重畳データの内の監視用信号のみを所定期間記憶する記憶手段とを備え、前記データ受信装置側に、前記基準信号位相検出手段で付与された各サンプリング時点の番号と、前記データ送信装置側から送信されてきた記憶手段の内容に基づく監視用信号除去データを入力することにより、除去したい監視用信号を出力する除去データ選択手段と、前記データ送信装置側より送信されてきた重畳データから前記除去データ選択手段より出力された監視用信号を減算し、前記系統電気量に対応した解析に用いられる系統データを出力する減算手段とを備えることを特徴とする。
【００２４】
【発明の実施の形態】
以下、本発明の各実施の形態について説明するが、既述した部分と同一機能部分については同一符号を付けることにより、重複した説明は避けることにする。
【００２５】
（第１の実施の形態）
図１は本発明に係わる系統解析システムの第１の実施の形態を示す構成図である。図１において、ディジタル形保護制御装置１-1は図９と同様、監視用電源１８から供給される監視用信号itを監視用出力ユニット１９を介してアナログフィルタ５に供給されると共に、新たに設けた第２サンプルホールド回路６ａを通じて監視用信号itの基準信号isを前記マルチプレクサ７に入力する。
【００２６】
アナログフィルタ５では従来同様、系統電気量ilと監視用信号itが重畳（il＋it）され、そしてマルチプレクサ７ではこの重畳データ（il＋it）と、基準信号isとが時系列状に並べられ、アナログディジタル変換器８でディジタルデータに変換された後、メモリ９に順次記憶される。
【００２７】
ディジタル演算プロセッサ１０は、所定の保護演算プログラムに基づいて前記メモリ９に記憶されているディジタルデータを用いて保護演算、シーケンス処理、自動監視等を行う。そして、詳細を後述するように、重畳データ（il＋it）の一部は、前記基準信号isと共に通信ユニット１１及び伝送路１２を介して制御所ＣＳのデータ受信装置１３に向けて送信される。
【００２８】
データ受信装置１３において、１４は重畳データのほか送信されてくるデータを受信する通信ユニットであり、受信したデータを系統現象解析のために一旦メモリ１５に記憶する。演算装置１６は所定の解析プログラムに従って受信データの解析処理を行い、解析結果をディスプレイ１７上に表示する。
【００２９】
次に、図２のブロック図を参照して図１の系統解析システムのソフトウェア処理概念を説明する。図２においてディジタル形保護制御装置１-1はデータ送信装置として、重畳データ（il＋it）及び監視用信号itに同期した基準信号isを前記制御所ＣＳのデータ受信装置１３側に向けて送信する。なお、１８´は監視用信号itから基準信号isを生成する基準信号生成手段である。
【００３０】
データ受信装置１３では、送られてきた基準信号isをディジタル演算プロセッサ１６の基準信号位相検出手段１６-1に入力して、その基準信号isの零クロスの立ち上がり時点を検出し、この時点を起点とし次の立ち上がり時点までの間の１サイクル中に存在するサンプリングデータにサンプリング時点の番号を与える。
監視用信号除去データ入力手段１６-2は、重畳データ（il＋it）から監視用信号itを除去するために、オペレータから入力された監視用信号itのゲイン値、すなわち前記基準信号位相検出手段１６-1で与えられたサンプリング時点の番号に合致する監視用信号itのゲイン値を、ゲイン除去データ選択手段１６-3に入力する。
【００３１】
除去データ選択手段１６-3では、前記基準信号位相検出手段１６-1により与えられたサンプリング時点の番号に合致する監視用信号のゲイン値が監視用信号除去データ入力手段１６-2から入力されることによって監視用信号itが得られ、これを時系列状に除去すべきデータとして出力する。そして減算器１６-4では、重畳データ（il＋it）から監視用信号itを減算して、本来の系統電気量に対応した系統データilを出力する。この出力された系統データilが計測及び記録データとして用いられる。
【００３２】
（第２の実施の形態）
次に図３を用いて、本発明の第２の実施の形態に係わる系統解析システムを説明する。なお、本実施の形態以降の各実施の形態は第１の実施の形態に比べハードウェア構成はさほど変らないので、ハードウェア構成図を省略し、ソフトウェア概念図のみを用いて説明することにする。
【００３３】
図３は、本実施の形態におけるソフトウェア処理を概念的に表した図である。本実施形態は、第１の実施の形態でデータ受信装置１３内に設けた基準信号位相検出回路１６-1をデータ送信側のディジタル形保護継電装置１-1内に設けるようにしたもので、基準信号位相検出回路１６-1から基準信号位相データをデータ受信装置１３に向けて送信する。
【００３４】
データ受信装置１３側では送られてきた基準信号位相データを基に、監視用信号除去データ入力手段１６-2から入力された除去データを除去データ選択回路１６-3にて選択し、送られてきた重畳データ（il＋it）から監視用信号itを減算器１６-4にて減算することにより、本来の系統電気量に対応した系統データilを出力する。
この出力された系統データilが計測及び記録データとして用いられることは第１の実施の形態と同様である。
【００３５】
（第３の実施の形態）
次に図４を用いて、本発明の第３の実施の形態に係わる系統解析システムのソフトウェア処理概念を説明する。図４においては、記憶手段２１により予め系統電気量が零の状態での監視用信号を時系列状に記憶するよう構成し、このデータを送信する。
【００３６】
データ受信装置１３では監視用信号除去データ受信手段１６-2´にて記憶し、除去データ選択回路１６-3にて除去データを選択する。重畳データ（il＋it）から選択された監視用信号itを減算器１６-4によって減算することにより、本来の系統電気量に対応した系統データilを出力する。
この出力された系統データilが計測及び記録データとして用いられることは第１の実施の形態と同様である。
【００３７】
（第４の実施の形態）
次に図５を用いて、本発明の第４の実施の形態に係わる系統解析システムのソフトウェア処理概念を説明する。図５において、データ送信側のディジタル形保護継電装置１-1内に基準信号位相検出回路１６-1及び監視用信号の記憶回路２１を設けてこのデータを送信し、データ受信装置１３側では除去データ選択回路１６-3にて基準信号位相データと監視用信号除去データ受信手段１６-2´から出力された受信データとから除去データitを出力し、減算器１６-4によって重畳データ（il＋it）から監視用信号itを減算することにより、本来の系統電気量に対応した系統データilを出力するように構成した。
この出力された系統データilが計測及び記録データとして用いられることは第１の実施の形態と同様である。
【００３８】
（第５の実施の形態）
次に図６を用いて、本発明の第５の実施の形態に係わる系統解析システムのソフトウェア処理概念を説明する。
【００３９】
図６において、本実施の形態では、ＧＰＳ同期制御回路１９により監視用信号itの位相と時刻が所定の関係となるように制御される。このタイミングでサンプリングされた重畳データ（il＋it）と時刻データ抽出回路２０から抽出された時刻データｉjを送信する。データ受信装置１３側では、送られてきた時刻データｉjを基に除去データ選択回路１６-3が監視用信号除去データ入力手段１６-3から同一位相の除去データを選択し、減算器１６-4により重畳データ（il＋it）から監視用信号itを減算することにより、本来の系統データを得る。
この出力された系統データilが計測及び記録データとして用いられることは第１の実施の形態と同様である。
【００４０】
（第６の実施の形態）
次に図７を用いて、本発明の第６の実施の形態に係わる系統解析システムのソフトウェア処理概念を説明する。
【００４１】
本実施の形態は、図４の実施の形態と図６の実施の形態とを合わせた実施の形態であり、データ送信側であるディジタル形保護制御装置１-1で監視用信号の記憶回路２１、ＧＰＳ同期制御回路１９及び時刻データ抽出回路２０を設けるように構成した。データ受信装置１３側では、監視用信号除去データ（受信データ）１６-2を基に重畳データ（il＋it）から監視用信号itを減算することにより、本来の系統電気量に対応した系統データilを得る。
この出力された系統データilが計測及び記録データとして用いられることは第１の実施の形態と同様である。
【００４２】
（第７の実施の形態）
次に図８を用いて、本発明の第７の実施の形態に係わる系統解析システムのソフトウェア処理概念を説明する。図８において、データ送信側であるディジタル形保護制御装置１-1は系統側電気量ilと監視用信号itを重畳した系統電気量に対応した重畳データ（il＋it）と監視用信号itとを送信し、データ受信装置では重畳データ（il＋it）から同時に送られてきた監視用信号itを減算することにより、本来の系統電気量に対応した系統データilを得るようにしたものである。
この出力された系統データilが計測及び記録データとして用いられることは第１の実施の形態と同様である。
【００４３】
【発明の効果】
以上説明したように、本発明によればディジタル形保護制御装置が本来備えている構成を活用し、しかも高調波重畳監視機能を生かして正確な系統電気量のデータを用いた系統解析システムを提供できる。
【図面の簡単な説明】
【図１】本発明による第１の発明の実施の形態を示すハードウェア構成図。
【図２】本発明による第１の発明の実施の形態を示すソフトウェア処理概念図。
【図３】本発明による第２の発明の実施の形態を示すソフトウェア処理概念図。
【図４】本発明による第３の発明の実施の形態を示すソフトウェア処理概念図。
【図５】本発明による第４の発明の実施の形態を示すソフトウェア処理概念図。
【図６】本発明による第５の発明の実施の形態を示すソフトウェア処理概念図。
【図７】本発明による第６の発明の実施の形態を示すソフトウェア処理概念図。
【図８】本発明による第７の発明の実施の形態を示すソフトウェア処理概念図。
【図９】従来装置のハードウェア構成図。
【図１０】従来装置のソフトウェア処理概念図。
【符号の説明】
１…ディジタル形保護制御装置、２…ＰＴ、３…ＣＴ、４…入力変換器、５…アナログフィルタ、６…サンプルホールド回路、７…マルチプレクサ、８…アナログ／ディジタル変換器、９…メモリ、１０…ディジタル演算プロセッサ、１０ａ，１０ｄ…ディジタルフィルタ、１０Ｍ…保護継電器主要部、１１…通信ユニット、１２…伝送路、１３…データ受信装置、１４…通信ユニット、１５…メモリ、１６…ディジタル演算プロセッサ、１６-1…基準信号位相検出回路、１６-2…監視用信号除去用データ入力手段、１６-2´…監視用信号除去用データ受信手段、１６-3…除去データ選択手段、１６-4…減算手段、１７…ディスプレイ、１８´…基準信号生成手段、１９…ＧＰＳ同期制御回路、２０…時刻データ抽出回路、２１…記憶回路。
【図１】
0004346246.tif 000002
【図２】
0004346246.tif 000003
【図３】
0004346246.tif 000004
【図４】
0004346246.tif 000005
【図５】
0004346246.tif 000006
【図６】
0004346246.tif 000007
【図７】
0004346246.tif 000008
【図８】
0004346246.tif 000009
【図９】
0004346246.tif 000010
【図１０】
0004346246.tif 000011